(57)【要約】【課題】通い綱ロープに使用物を吊り下げるための締結具を容易に掛け止めることができる通い綱ロープの掛け止め補助具を提供する。【解決手段】送電鉄塔等の高所作業場所に資材や工具などの使用物（Ｐ）を引き上げるための通い綱ロープ（２２）とともに用いられる短冊状の金属片からなる通い綱ロープの掛け止め補助具（１０）であって、金属片の上端および下端近傍には側方から前記通い綱ロープを導き入れるために長辺とつながった切れ込み穴（１２ａ，１２ｂ）が形成され、また、下側の切れ込み穴の下側には使用物を吊り下げた締結具を取り付けるための取付穴（１４）が形成されている。【選択図】図２
2009215056.tif 000002
【特許請求の範囲】
【請求項１】
送電鉄塔等の高所作業場所に資材や工具などの使用物（Ｐ）を引き上げるための通い綱ロープ（２２）とともに用いられる短冊状の金属片（Ｍ）からなる通い綱ロープの掛け止め補助具（１０）であって、
金属片の上端および下端近傍には側方から前記通い綱ロープを導き入れるために長辺とつながった切れ込み穴（１２ａ，１２ｂ）が形成され、また、下端近傍の切れ込み穴の下側には使用物を吊り下げる締結具を取り付けるための取付穴（１４）が形成されている、ことを特徴とする通い綱ロープの掛け止め補助具。
【請求項２】
前記金属片（Ｍ）の上端には通い綱ロープ（２２）に落下防止紐（２４）を結着するための結着穴（１６）が形成されている、ことを特徴とする請求項１に記載の通い綱ロープの掛け止め補助具。
【請求項３】
上端および下端近傍の前記切れ込み穴（１２）の間の金属片（Ｍ）には、長手軸まわりに捩った捩り部（１８）が形成されている、ことを特徴とする請求項１又は２に記載の通い綱ロープの掛け止め補助具。
【請求項４】
前記切れ込み穴（１２ａ，１２ｂ）の周縁には、前記通い綱ロープ（２２）を食い込ませるための鋸歯（Ｔａ）が形成されている、ことを特徴とする請求項１乃至３のいずれか一項に記載の通い綱ロープの掛け止め補助具。
【請求項５】
上端および下端近傍の前記切れ込み穴（１２ａ，１２ｂ）の間の金属片（Ｍ）の長辺には、前記通い綱ロープ（２２）を食い込ませるための鋸歯（Ｔｂ）が形成されている、ことを特徴とする請求項１乃至４のいずれか一項に記載の通い綱ロープの掛け止め補助具。
【発明の詳細な説明】
【技術分野】
【０００１】
本発明は送電鉄塔等の高所作業場所において、地上から資材や工具などの使用物を引き上げる（地上への引き下ろしを含む。）ために用いられる通い綱ロープに、使用物を容易に掛け止めることができる通い綱ロープの掛け止め補助具に関する。
【背景技術】
【０００２】
送電鉄塔上等の高所に上った作業者が、ロープ（このロープを「通い綱ロープ」という。）を用いて必要な資材や工具などを地上から引き上げることがある。例えば送電鉄塔上に工具を引き上げる際には、工具を布製のバケツに入れ、これを送電鉄塔上から垂れ下げた通い綱ロープの先端に形成した輪環にカラビナやナス環などの締結具を用いて連結してやることが一般的である。また資材や機械器具などについても同様に、資材等に結着したロープを通い綱ロープの先端の輪環にカラビナ等の締結具を用いて連結されていた。
【０００３】
例えば特許文献１にはボルト孔付きアームの吊具が開示されているが、この吊具も補助ロープの一端のナス環を通い綱ロープ先端に形成した輪環に掛け止めて用いられる。
【特許文献１】特開２００５−２７２０５４号公報
【発明の開示】
【発明が解決しようとする課題】
【０００４】
ここで、通い綱ロープにナス環等の締結具を掛け止めることができるようにロープ先端部分を結わいて輪環を形成した場合、使用物を吊り下げることでかかる荷重によってその結び目が固く締まってしまい、作業後に結び目がなかなか解けずに通い綱ロープの回収に手間取ることがあった。
【０００５】
本発明は上記問題点を解決するためになされたもので、その目的は、通い綱ロープに輪環を形成することなく、通い綱ロープに使用物を吊り下げるための締結具を容易かつ確実に掛け止めることができる通い綱ロープの掛け止め補助具を提供することにある。なお以下の説明において「通い綱ロープの掛け止め補助具」を単に「掛け止め補助具」ということがある。
【課題を解決するための手段】
【０００６】
上記問題を解決するために本発明は、送電鉄塔等の高所作業場所に資材や工具などの使用物（Ｐ）を引き上げるための通い綱ロープ（２２）とともに用いられる短冊状の金属片（Ｍ）からなる通い綱ロープの掛け止め補助具（１０）であって、金属片の上端および下端近傍には側方から前記通い綱ロープを導き入れるために長辺とつながった切れ込み穴（１２ａ，１２ｂ）が形成され、また、下端近傍の切れ込み穴の下側には使用物を吊り下げる締結具を取り付けるための取付穴（１４）が形成されている、ことを特徴とする。
【０００７】
また、前記金属片（Ｍ）の上端には通い綱ロープ（２２）に落下防止紐（２４）を結着するための結着穴（１６）が形成されている。
【０００８】
さらに、上端および下端近傍の前記切れ込み穴（１２）の間の金属片（Ｍ）には、長手軸まわりに捩った捩り部（１８）が形成されている、ようにすることもできる。
【０００９】
また、前記切れ込み穴（１２ａ，１２ｂ）の周縁には、前記通い綱ロープ（２２）を食い込ませるための鋸歯（Ｔａ）が形成されている、ことが好ましい。
【００１０】
さらに、上端および下端近傍の前記切れ込み穴（１２ａ，１２ｂ）の間の金属片（Ｍ）の長辺には、前記通い綱ロープ（２２）を食い込ませるための鋸歯（Ｔｂ）が形成されている、ことが好ましい。
【発明の効果】
【００１１】
本発明によれば、短冊状の金属片の上端および下端近傍にその長辺とつながった切れ込み穴を形成した通い綱ロープの掛け止め補助具を用い、通い綱ロープをまず上端側の切れ込み穴に側方から導き入れてから下端側の切れ込み穴に側方から通してやることで、短冊状金属片の掛け止め補助具の切れ込み穴周縁との摩擦によって掛け止め補助具が通い綱ロープに掛け止められる。また必要に応じて上端側の切れ込み穴に導き入れた通い綱ロープを掛け止め補助具の長手軸まわりに弛みが生じないように１〜２周程度巻き付けた後に、この通い綱ロープを下端側の切れ込み穴に側方から通してやることでより確実に掛け止め補助具を通い綱ロープに掛け止めてやってもよい。
なお金属片の下端には取付穴が形成されており、使用物はカラビナやナス環などの締結具を用いてこの取付穴に使用物（使用物を入れたバケツなども含む）を吊り下げてやると、使用物の荷重によって巻き付けた通い綱ロープが締め上げられるため、より強固に掛け止め補助具が通い綱ロープに掛け止められることとなる。
さらに本発明の通い綱ロープの掛け止め補助具は、垂れ下げた通い綱ロープの任意の位置に簡単・迅速に掛け止めることができ、またその取り外しも極めて容易に行うことができる。
【００１２】
また、金属片の上端に結着穴を形成し、ここに落下防止紐を通してこれを通い綱ロープに結着してやれば、例えば使用前の通い綱ロープの掛け止め補助具が通い綱ロープから外れて不用意に落下してしまうことなどを防止することができる。
【００１３】
さらに、金属片の中間部位にその長手軸まわりに捩じった捩り部を形成してやれば、この掛け止め補助具に巻き付ける通い綱ロープをガイドしてやることができ、その使用に際して使用者が使用方法を間違えにくくすることができる。
【００１４】
また、通い綱ロープを通す切れ込み穴の周縁に鋸歯を形成してやれば、上記と同様に通い綱ロープに鋸歯が食い込むため、確実に使用物を吊り下げることができる。
【００１５】
さらに、金属片の長辺に鋸状の鋸歯を形成してやれば、金属片に巻き付けた通い綱ロープが使用物の荷重によって鋸歯に食い込むこととなるため、使用物が重量物であっても掛け止め補助具を用いて確実に吊り下げることができる。
【発明を実施するための最良の形態】
【００１６】
本発明の通い綱ロープの掛け止め補助具は、送電鉄塔等の高所作業場所から垂れ下げた通い綱ロープの先端部分に輪環などを形成する必要がなく、通い綱ロープの任意の位置に容易かつ確実に掛け止めて、これに資材や工具などの使用物を連結して地上から引き上げることができる金具である。
以下、本発明の通い綱ロープの掛け止め補助具の好ましい実施例について具体的に説明する。
【実施例１】
【００１７】
図１は本実施例の通い綱ロープの掛け止め補助具１０の斜視図であり、図２は通い綱ロープの掛け止め補助具を通い綱ロープ２２に掛け止めた状態の斜視図である。なお通い綱ロープ２２は、化学繊維を撚ることで直径１５ｍｍ程度とした紐である。
図に示した綱ロープの掛け止め補助具１０は、ステンレス鋼などの金属片を加工することで製作されているが、鋼材に限られず樹脂などを用いて製作してやることも可能である。
【００１８】
この金属片Ｍは縦×横×厚さが、４３ｃｍ×４ｃｍ×４ｍｍ程度の寸法の短冊状をしており、その下端から３ｃｍ位の位置には使用物Ｐを吊り下げた締結具Ｗ（カラビナやナス環など）を取り付けるための直径１６ｍｍ程度の取付穴１４が、その上端から３ｃｍ位の位置には通い綱ロープ２２に落下防止紐２４を結着するための直径１６ｍｍ程度の結着穴１６が開口して形成されている。
【００１９】
また金属片Ｍの上下両端から１０ｃｍ位の位置には、通い綱ロープ２２を側方から導き入れるために金属片の長辺とつながった切れ込みである切れ込み穴１２ａ，１２ｂが形成されている。この切れ込み穴１２ａ，１２ｂは、それ自体は長円形をしており、その一側の長辺の一部が通い綱ロープ２２の直径よりも若干広い幅（２ｃｍ程度）の通路で金属片長辺とつながっている。なお本実施例では各切れ込み穴１２ａ，１２ｂは反対方向を向くようにして開口しているが、各切れ込み穴が同一方向を向くように開口していてもよい。
【００２０】
さらに上下の切れ込み穴１２ａ，１２ｂの周縁（図では上側）には、数ミリ程度の高さの鋭角な凹凸が鋸歯状に形成されている。この鋸歯Ｔａは通い綱ロープ２２を食い込ませるためのものである。
【００２１】
以上に説明した本実施例の通い綱ロープの掛け止め補助具１０は図２に示したようにして使用される。
まず、上側の切れ込み穴１２ａに鉄塔等から垂れ下げた通い綱ロープ２２を側方から導き入れて掛け止め補助具１０に沿うようにして反対面側に垂らしてやる。そしてさらに通い綱ロープ２２を下側の切れ込み穴１２ｂに側方から導き入れてやる。このとき必要に応じて掛け止め補助具１０の長手軸まわりに１〜２回転程度、通い綱ロープ２２を巻き付けてやったのちに下側の切れ込み穴１２ｂに側方から通い綱ロープ２２を導き入れてやるようにすることもできる。
次に結着穴１６に例えば直径５ｍｍ程度の落下防止紐２４を通し、これを通い綱ロープ２２に巻き付けて結わいてやることで、仮に通い綱ロープが切れ込みから外れてしまったとしても掛け止め補助具１０が通い綱ロープから分離して不用意に落下してしまうことを防止することができる。
【００２２】
それから取付穴１４にナス環を通し、このナス環に例えば布バケツの持ち手をナス環開口部から導き入れて取り付けてやる。その後に下側の切れ込み穴１２ａ，１２ｂから垂れた通い綱ロープ２２を、ナス環（締結具Ｗ）の開口部から導き入れ、最後にナス環の袋ナットをとめることでナス環の開口部を閉じてやる。
【００２３】
以上に説明した本実施例の通い綱ロープの掛け止め補助具１０では、布バケツなどを掛け止め補助具に吊り下げた状態である程度以上の荷重が作用すると、すなわち布バケツに工具などの使用物Ｐが投入されると、布バケツからの荷重が掛け止め補助具の上下の切れ込み穴１２ａ，１２ｂの周縁上側に担持されることとなる。ここで切れ込み穴１２ａ，１２ｂの周縁には鋸歯Ｔａが形成されており、掛け止め補助具１０に荷重がかかるとこの鋸歯Ｔａが通い綱ロープ２２に食い込むため、より確実に掛け止め補助具を通い綱ロープに掛け止めて工具を入れた布バケツや資材・機械器具などを吊り下げてこれを引き上げてやることが可能となる。
なお切れ込み穴１２ａ，１２ｂの周縁に鋸歯Ｔａが形成されていない場合であっても、金属片Ｍの角部が通い綱ロープ２２を捕まえるため、１００ｋｇ程度の荷重であれば問題なく吊り下げることができる。
【００２４】
本実施例の通い綱ロープの掛け止め補助具１０によれば、送電鉄塔等の高所作業場所から垂れ下げた通い綱ロープ２２の任意の位置に容易にこれを掛け止めることができるため、高所作業の効率化を図ることができる。また従来のように通い綱ロープ２２の先端部分に輪環などを形成する必要がないため、固く締まった輪環を解く作業がなくなり、通い綱ロープの回収作業が迅速化される。さらにこの掛け止め補助具１０は構造が単純で比較的軽量であるため、安価に製作することができ、またその運搬や取り扱いが容易であるといった特徴も有している。
【実施例２】
【００２５】
図３は本実施例の通い綱ロープの掛け止め補助具１０の斜視図であり、図４は通い綱ロープの掛け止め補助具１０を通い綱ロープ２２に掛け止めた状態の斜視図である。
図に示したようにこの綱ロープの掛け止め補助具１０は、実施例１の掛け止め補助具である金属片Ｍを加工することで製作されている。なお掛け止め補助具１０は樹脂などを用いて製作可能であることは実施例１の場合と同様である。
【００２６】
すなわちこの掛け止め補助具１０は図に示したように、その長手軸まわりに１８０度捩じられた捩り部１８が上下の切れ込み穴１２ａ，１２ｂの間に形成されている。そのため上下の切れ込み穴１２ａ，１２ｂは実施例１の場合とは異なり同一方向を向いて開口していることとなる。しかしながら、各切れ込み穴１２ａ，１２ｂが反対方向を向くように開口するように製作してやってもよい。
【００２７】
また、上下の切れ込み穴１２ａ，１２ｂの間の金属片Mの長辺には、数ミリ程度の高さの鋭角な凹凸が鋸歯状に形成されている。この鋸歯Ｔｂは通い綱ロープ２２を食い込ませてその滑りを防止するためのものであり、少なくとも捩り部１８の下側の長辺に数ｃｍの幅で形成されている。
【００２８】
以上に説明した本実施例の通い綱ロープの掛け止め補助具１０は実施例１とほぼ同様にして使用されるが、図４からも分かるように捩り部１８に沿うようにして掛け止め補助具１０の周囲に通い綱ロープ２２が２回転巻き付けられる点が異なっている。なお金属片Ｍの長辺には鋸歯Ｔｂが形成されているため、巻き付けた通い綱ロープ２２がこの鋸歯Ｔｂに食い込むことで掛け止め補助具１０はしっかりと通い綱ロープに掛け止められる。
【００２９】
このように本実施例の通い綱ロープの掛け止め補助具１０では金属片Ｍに捩り部１８を形成し、通い綱ロープ２２をこの捩り部１８にガイドさせて巻き付けることで、実施例１と同様の効果に加え、掛け止め補助具を通い綱ロープに掛け止める作業を容易化することができるとともに、通い綱ロープへの掛け止め補助具の掛け止め方を間違えにくくしてやることができる。
【００３０】
なお本発明の通い綱ロープの掛け止め補助具の形状や通い綱ロープの掛け止め方法は、発明の趣旨を逸脱しない範囲で適宜変更することができるのは勿論である。例えば掛け止め補助具を１８０度以上捩じって形成したり、金属片Ｍの周囲に３周以上通い綱ロープを巻きつけて使用することも可能である。
【図面の簡単な説明】
【００３１】
【図１】実施例１の通い綱ロープの掛け止め補助具１０の斜視図である。
【図２】掛け止め補助具を通い綱ロープに掛け止めた状態の斜視図である。
【図３】実施例２の通い綱ロープの掛け止め補助具１０の斜視図である。
【図４】掛け止め補助具を通い綱ロープに掛け止めた状態の斜視図である。
【符号の説明】
【００３２】
１０  通い綱ロープの掛け止め補助具
１２ａ，１２ｂ  切れ込み穴
１４  取付穴
１６  結着穴
１８  捩り部
２２  通い綱ロープ
２４  落下防止紐
Ｍ  金属片
Ｔａ，Ｔｂ  鋸歯
Ｐ  使用物
Ｗ  締結具
【図１】
2009215056.tif 000003
【図２】
2009215056.tif 000004
【図３】
2009215056.tif 000005
【図４】
2009215056.tif 000006